(57)【要約】【課題】糸付き球を用いた不正行為を確実に防止することが可能な遊技盤の球発射通路を提供することを目的とする。【解決手段】遊技盤面の遊技領域に向けて発射された球を誘導する球発射通路であって、遊技盤上に配設される外ガイドレールと、外ガイドレールよりも遊技領域側において配設される内ガイドレールと、内ガイドレールの先端部より外ガイドレール側に延出する球戻り防止弁とを備え、球戻り防止弁が延出方向端部に切断刃を有した。【選択図】図２
2012120697.tif 000002
【特許請求の範囲】
【請求項１】
遊技盤面の遊技領域に向けて発射された球を誘導する球発射通路であって、
前記遊技盤上に配設される外ガイドレールと、
前記外ガイドレールよりも前記遊技領域側において配設される内ガイドレールと、
前記内ガイドレールの先端部より前記外ガイドレール側に延出する球戻り防止弁とを備え、
前記球戻り防止弁が延出方向端部に切断刃を有することを特徴とする球発射通路。
【請求項２】
前記切断刃が刃先を前記球戻り防止弁の先端に向けて前記球戻り防止弁の内部に埋設され、
前記切断刃の刃先が、前記球戻り防止弁の先端部より離れた位置で露出することを特徴とする請求項１記載の球発射通路。
【請求項３】
前記球戻り防止弁が、当該球戻り防止弁の先端部より、内部に埋設された切断刃の刃先に向かって傾斜する傾斜部と、
前記傾斜部と連続して設けられ、前記切断刃の刃先が露出するスリットを有することを特徴とする請求項２記載の球発射通路。
【発明の詳細な説明】
【技術分野】
【０００１】
本発明は、パチンコ遊技機の遊技盤に形成された球発射通路に関し、特に不正な遊技球を用いて不正な賞球を得ることを確実に防止可能な球発射通路に関する。
【背景技術】
【０００２】
従来、遊技機の一例としてのパチンコ遊技機（以下、パチンコ機という）においては、様々な方法により不正な賞球を得るいわゆるゴト行為が多発しており、パチンコ機を設置する遊技店や、遊技者に不測な損害を与えていることが知られている。
このようなゴト行為として近年、遊技店によって貸し出される遊技球（以下、球という）に接着剤等を介して糸を付けた球（以下、糸付き球という）を自作し、球と繋がる糸を手で保持したまま、糸付き球をパチンコ機の発射機構に装填し、糸付き球を遊技領域内に発射するという「糸ゴト」と呼ばれる不正行為が横行するようになっている。
より詳細には、糸付き球が遊技領域に到達すると、球と繋がる糸が球発射通路の一部を構成する内ガイドレールに設けられた球戻り防止弁の先端部に引っ掛かった状態となる。
そして、不正行為者は、球戻り防止弁の先端部を支点として手で保持した糸を操作することにより、遊技領域内に到達した糸付き球を自在に操り、糸付き球を遊技盤に配設された始動入賞口や一般入賞口に取り込ませた上で、手に保持した糸を繰り返し引っ張ることにより（リフティング動作）、上記遊技部品の内部に設けられた入賞検出センサーにより糸付き球を繰り返し検出させ短時間で大量な不正な賞球を得る。
このようなゴト行為は、遊技店、或いは、一般遊技者に対して与える不利益が極めて甚大なものとなるため、当該ゴト行為に対応する具体策を講じることが望まれるが、根本的な解決策は見出されていないのが現状である。
【先行技術文献】
【特許文献】
【０００３】
【特許文献１】特開２００６−１２２５５９号公報
【発明の概要】
【発明が解決しようとする課題】
【０００４】
そこで、本発明は上記課題を解決すべく、糸付き球を用いた不正行為を確実に防止することが可能な遊技盤の球発射通路を提供することを目的とする。
【課題を解決するための手段】
【０００５】
上記課題を解決するための構成として、遊技盤面の遊技領域に向けて発射された球を誘導する球発射通路であって、遊技盤上に配設される外ガイドレールと、外ガイドレールよりも遊技領域側において配設される内ガイドレールと、内ガイドレールの先端部より外ガイドレール側に延出する球戻り防止弁とを備え、球戻り防止弁が延出方向端部に切断刃を有する構成とした。
本構成によれば、外ガイドレールよりも遊技領域側において配設される内ガイドレールの先端部より外ガイドレール側に延出する球戻り防止弁が、延出方向端部に切断刃を有することから、糸付き球が遊技領域内に到達した場合に、糸付き球と繋がれた糸が切断刃の刃先に引っ掛かった状態となり切断刃により切断されることとなる。
また、上記課題を解決するための他の構成として、切断刃が刃先を球戻り防止弁の先端に向けて球戻り防止弁の内部に埋設され、切断刃の刃先を球戻り防止弁の先端部より離れた位置で露出させる構成とした。
本構成によれば、糸付き球が遊技領域内に到達した場合に、糸付き球と繋がれた糸が切断刃の刃先に引っ掛かった状態となり切断刃により切断されることとなる。
また、切断刃の刃先が球戻り防止弁の先端部より離れた位置で露出することにより、球発射通路を経て遊技領域に到達しようとする球に対して切断刃の刃先が直接触れることがなくなり、遊技店が貸し出す球に傷が付くことを確実に防止することができる。
また、上記課題を解決するための他の構成として、球戻り防止弁が当該球戻り防止弁の先端部より、内部に埋設された切断刃の刃先に向かって傾斜する傾斜面と、当該傾斜面と連続し、切断刃の刃先が露出するスリットを有する構成とした。
本構成によれば、球戻り防止弁が、当該球戻り防止弁の先端部より内部に埋設された切断刃の刃先に向かって傾斜する傾斜面と、当該傾斜面と連続し、切断刃の刃先が露出するスリットとを有することから、前記構成から生じる効果に加え、球戻り防止弁の先端部に引っ掛かった糸を傾斜面に沿って切断刃の刃先の方向に案内し、かつ、スリット内において露出する切断刃の刃先により確実に切断することができる。
さらに、切断刃の刃先がスリット内において露出することから、球戻り防止弁を取り付ける際に作業者が切断刃の刃先に直接触れる可能性を極めて低減させることができる。
また、切断刃の刃先が露出するスリットに案内された糸付き球と繋がれた糸がスリットと傾斜面との境界を越えにくくなるので当該糸が切断刃の刃先から離れにくくなり、さらにスリット内において露出する切断刃の刃先により確実に切断することができる。
なお、上記の発明の概要は本発明の必要な特徴のすべてを列挙したものではなく、これらの特徴群のサブコンビネーションもまた発明となり得る。
【図面の簡単な説明】
【０００６】
【図１】パチンコ機の外観を示す概略正面図である。
【図２】球戻り防止弁の近傍を示す正面図、断面図及び斜視図である。
【図３】他の実施形態に係る球戻り防止弁を示す正面図及び斜視図である（実施形態２）。
【図４】他の実施形態に係る球戻り防止弁を示す正面図及び斜視図である（実施形態３）。
【図５】他の実施形態に係る球戻り防止弁を示す正面図及び斜視図である（実施形態４）。
【０００７】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【発明を実施するための形態】
【０００８】
図１は遊技機の一例としてのパチンコ機１０の全体正面図である。同図を用いてパチンコ機１０の概略について説明する。なお、本明細書において上下左右方向とは、図１における矢印で表される方向をいうものとする。
パチンコ機１０は、表面に球が打ち出される遊技領域１１Ａを有し、内枠に対して脱着自在に取り付けられる遊技盤１１と、内枠を前後方向に開閉自在に軸支する外枠とを備える。遊技盤１１の前方には、内枠の前後方向に開閉自在に軸支される窓１２Ａが設けられ、遊技盤１１の前方が閉鎖される。また、パチンコ機１０の下方には、発射ハンドル１４が回転自在に取着され、発射ハンドル１４が遊技者によって回転操作されることにより、図外の打ち出し機構が駆動する。打ち出し機構が駆動すると、上皿構造体１６内に貯留された球が球発射通路２０を通過して上方に打ち出され、遊技盤１１の前面に取り付けられた外ガイドレール１８と内ガイドレール１７とで囲繞された遊技領域１１Ａ内に進入する。
【０００９】
球発射通路２０は、遊技盤１１の表面上において外ガイドレール１８と、外ガイドレール１８の一部区間に沿って、外ガイドレール１８よりも遊技領域１１Ａ側で遊技盤１１の表面上に配設された内ガイドレール１７と、内ガイドレール１７の先端部３０より外ガイドレール１８側に延出する球戻り防止弁３１とにより構成される。
外ガイドレール１８及び内ガイドレール１７は、金属、或いは、合成樹脂よりなる帯状板であって、遊技盤１１の表面に対して直交するように、かつ、互いに対峙して円弧状に配設される。そして、図外の打ち出し機構により打ち出された球は、外ガイドレール１８及び内ガイドレール１７の間を通過し、外ガイドレール１８及び内ガイドレール１７の間を閉塞するように設けられた球戻り防止弁３１を押し開けて、遊技領域１１Ａ内に到達する。
【００１０】
図２（ａ）に示すように、内ガイドレール１７の先端部近傍に配設される球戻り防止弁３１は、打ち出される球と接触する弁体３７と、弁体３７を内ガイドレール１７の先端部３０に配設するための弁保持体３８とを有する。
弁体３７は、弾性を有する金属、或いは、合成樹脂よりなる内ガイドレール１７よりも薄肉の帯状板であって、後述の弁保持体３８により保持された状態において、逆くの字状に湾曲し、内ガイドレール１７から外ガイドレール１８側に向かって延出する。図２（ｂ）に示すように、弁体３７の幅方向Ｘ１の寸法は、内ガイドレール１７の幅方向Ｘ２の寸法より小さく設定され、弁保持体３８により保持された状態において、遊技盤１１の表面より僅かに離間した状態で取り付けられる。
【００１１】
図２（ｃ）に示すように、弁体３７における弁保持体３８側の根元３７Ａは、弁保持体３８に設けられた係止溝３８Ａの孔径と対応する径となるように巻回して形成され、根元３７Ａを弁保持体３８に設けられた係止溝３８Ａに対して挿入することにより、弁体３７が弾性変形可能に弁保持体３８によって保持される。
【００１２】
弁体３７における外ガイドレール１８側の先端部３７Ｂ、即ち、弁体３７の延出方向側の端部は、切断刃４０として形成される。切断刃４０は、金属或いは合成樹脂を研磨することにより、先端部が鋭利な刃先となるように加工され、当該切断刃４０の刃先に接触する糸を切断可能である。なお、別途切断刃４０を製作し、既存の弁体３７の先端部に対して接着剤や他の固定手段により取り付けるようにしてもよい。
【００１３】
弁保持体３８は弁体３７の根元３７Ａを内部で保持する係止溝３８Ａと、固定手段としての釘が挿通可能な貫通孔３８ｂとを有する。
係止溝３８Ａは、巻回して形成された弁体３７の根元３７Ａが挿通可能な円形溝と、当該円形溝の周囲から延長する直線状の溝とからなり、係止溝３８Ａに対して弁体３７が挿通されると、弁体３７の一部である根元３７Ａが係止溝３８Ａ内において保持される。
弁保持体３８は、内ガイドレール１７の先端部３０の近傍に位置決めされ、内ガイドレール１７の表面に当接した状態で貫通孔３８ｂに釘が打ち込まれることにより、遊技盤１１上に配設される。
【００１４】
上記構成からなる球発射通路２０に球が打ち出されると、打ち出された球は、遠心力により外ガイドレール１８に沿って円弧状の軌跡を描いて遊技領域１１Ａ側に案内される。
そして、球が外ガイドレール１８と内ガイドレール１７の間を閉塞するように内ガイドレール１７側から外ガイドレール１８側に向かって延出する球戻り防止弁３１の弁体３７に接触すると、弁体３７はその弾性力により遊技領域１１Ａ側に撓み、球が遊技領域１１Ａ内に進入することを許容し、球が通過したことにより弾性力により原位置に復帰する。
弁体３７が原位置に復帰した状態において、弁体３７の先端部３７Ｂと外ガイドレール１８との間隔は、１つの球の直径未満となるように設定される。
つまり、遊技領域１１Ａ側に打ち出された球は、必ず弁体３７に接触した後に遊技領域１１Ａに進入し、一度遊技領域１１Ａに到達した球は、球発射通路２０に戻ることはない。
【００１５】
以下、図２を参照して切断刃４０の作用について説明する。
図２（ａ），（ｂ）に示すように、糸付き球Ｐが球発射通路２０を経由して遊技領域１１Ａ内に到達すると、糸付き球Ｐと繋がれた糸Ｑは、糸付き球Ｐが遊技盤１１上を流下することにより切断刃４０が形成された弁体３７の先端部３７Ｂを支点として引っ掛かった状態となる。そして、不正行為を行う者が、糸付き球Ｐを遊技盤１１上に配設された複数の遊技部品に入賞させようと、パチンコ機１０の外部から糸Ｑを緊張、或いは、弛緩するように操作すると、先端部３７Ｂに引っ掛かった状態の糸Ｑが切断刃４０に繰り返し加わる応力により切断され、糸付き球Ｐを自在に操作することを確実に防止できる。
なお、糸Ｑの素材としては、綿、アクリル、ナイロン等の素材が用いられることが多く、切断刃４０についても一定以上の剛性を有する素材、形状を採用することが望ましい。
【００１６】
このように、本実施形態においては、球発射通路２０を構成する球戻り防止弁３１の弁体３７の先端部３７Ｂが切断刃４０として形成されたので、不正行為の目的で遊技領域１１Ａに発射された糸付き球Ｐと繋がれた糸Ｑを切断刃４０で確実に切断することができる。
なお、上記実施形態においては、球戻り防止弁３１の弁体３７を弁保持体３８により保持するものとしたが、弁体３７を内ガイドレール１７の表面に直接配設する構成としてもよい。また、弁体３７と弁保持体３８とを合成樹脂により一体成形して、内ガイドレール１７の表面に配設する構成としてもよい。
【００１７】
以下、図３を参照して、球戻り防止弁３１の他の形態について説明する。
図３の各図は、弁体３７の先端部３７Ｂを示す図であり、各図に示された切断刃４０は、幅方向に沿って直線的に形成された上記の切断刃４０と比較して、幅方向に沿って傾斜する点で異なる。
【００１８】
図３（ａ）に示す切断刃４０は、幅方向中央に向かって下傾斜する傾斜部４２；４２と、傾斜部４２：４２と連続し、傾斜部４２：４２同士を接続する直線部４３とからなる。
切断刃４０を上記形状とすることにより、切断刃４０に引っ掛かった糸Ｑは、傾斜部４２；４２に沿って中央方向に誘導されるため、一度切断刃４０に引っ掛かった糸Ｑが切断刃４０から脱落することを確実に防止することができる。また、一度切断刃４０に引っ掛かった糸Ｑが中央方向に案内される際に切断刃４０の傾斜部４２；４２に擦れるため、糸Ｑをより確実に切断することができる。なお、本実施形態においては、直線部４３のみを切断刃４０として形成してもよい。
【００１９】
図３（ｂ）に示す切断刃４０は、傾斜部４２；４２同士がＶ字をなすように形成されており、当該形状によっても切断刃４０に引っ掛かった糸Ｑを幅方向中央部に確実に案内することができる。また、傾斜部４２；４２が交わる頂点において糸Ｑが引っ掛かった場合、不正な遊技者の操作によって働く張力が幅方向に分散することがなくなり、応力集中が生じるため、糸Ｑの素材の強度が高い場合であっても切断することが可能となる。
【００２０】
図３（ｃ）に示す切断刃４０は、傾斜部４２が遊技盤１１前方に向かって一方向に下傾斜するように形成されており、当該形状によっても切断刃４０に引っ掛かった糸Ｑを確実に切断することができる。また、傾斜部４２が遊技盤１１前方に向かって下傾斜することから切断刃４０に引っ掛かった糸Ｑが切断できない程の剛性を有する場合であっても、切断できない糸Ｑを窓１２Ａ方向に脱落させることが可能となり、糸付き球Ｐの操作を可能とする「支点」が作られることを防止することができる。
なお、上記図３に示す実施形態においては、傾斜部４２を直線的に形成したが、これに限られるものではなく、傾斜部４２を曲線として形成してもよい。
【００２１】
以下、図４を参照して、球戻り防止弁３１の他の形態について説明する。
図４は、弁体３７を示す図であり、本形態における球戻り防止弁３１は、上記複数の実施形態と比べ、切断刃４０が、弁体３７の内部に埋設されている点で異なる。
【００２２】
図４（ａ）に示すように、本実施形態に係る弁体３７は、両先端部３７Ｂから幅方向中央に向かって下傾斜する傾斜部５２；５２と、傾斜部５２：５２と連続し、傾斜部５２：５２同士を接続する直線部５３とを有し、直線部５３及び傾斜部５２；５２の下端部近傍から切断刃４０の刃先が弁体３７の先端部３７Ｂに向けて外部に露出する形態である。
なお、先端部３７Ｂ；３７Ｂの間隔は、球一個分の直径よりも狭く球が傾斜部５２；５２及び直線部５３に直接接触することはない。
本実施形態に係る弁体３７は、合成樹脂により成型されるものであって、弁体３７を成形する成形型に樹脂を流しこみ、矩形状の切断刃４０を刃先が外部に露出する位置にセットした上で冷却することにより、弁体３７の内部に切断刃４０が埋設された状態の球戻り防止弁３１を得ることができる。
【００２３】
本実施形態に係る球戻り防止弁３１によれば、切断刃４０が弁体３７の内部に埋設され、かつ、切断刃４０の刃先が先端部３７Ｂよりも下方に離れるように位置することから、球が弁体３７を遊技領域１１Ａ側に押し開ける際に切断刃４０の刃先に直接接触することがなくなり、打ち出される球が傷付くことを確実に防止できる。
また、切断刃４０に引っ掛かった糸Ｑは、傾斜部５２；５２に沿って切断刃４０の刃先が露出する幅方向中央に案内されるため、一度傾斜部５２；５２に引っ掛かった糸Ｑを脱落させることなく切断刃４０により確実に切断することができる。
【００２４】
なお、本実施形態においては、弁体３７と切断刃４０とを一体成形するとして説明したが、図４（ｂ）に示すように、弁体３７の側部に幅方向に延在し、切断刃４０を挿入可能な挿入孔５４を開設しておき、当該挿入孔５４に対して切断刃４０を挿入し、挿入孔５４の残余空間に係止片５５を挿入することにより、切断刃４０の刃先を外部に露出させた状態で弁体３７に取り付けるようにしてもよい。
また、本実施形態に係る傾斜部５２；５２の形状は任意に変更可能であり、傾斜部５２を例えば図３（ｂ），（ｃ）に示す形状とし、切断刃４０の刃先を外部に露出させた状態で弁体３７に取り付けるようにしてもよい。
【００２５】
以下、図５を参照して、球戻り防止弁３１の他の形態について説明する。
図５は、弁体３７を示す図であり、本形態における球戻り防止弁３１は、上記複数の実施形態と比べ、切断刃４０が、弁体３７の内部に埋設され、さらに、弁体３７に設けられたスリット内において外部に露出している点で異なる。
【００２６】
本実施形態に係る弁体３７は、両先端部３７Ｂから幅方向中央に向かって下傾斜する傾斜部５２；５２と、傾斜部５２；５２と連続して形成されるスリット５６とを有する。先端部３７Ｂ；３７Ｂの間隔は、前記実施形態と同様に球一個分の直径よりも狭く、球が傾斜部５２；５２に直接接触することはない。
スリット５６は、傾斜部５２；５２の下端部から連続して下方に延在する直線状の溝であって、その溝幅は、糸Ｑよりも広く、成人の指先が侵入し得ない程度の例えば２ｍｍから９ｍｍ程度の幅に設定される。また、スリット５６の下方には、弁体３７に埋設された切断刃４０の刃先が露出しており、スリット５６内に落とし込まれた糸Ｑは、スリット５６内において露出する切断刃４０により切断される。
【００２７】
本実施形態に係る球戻り防止弁３１によれば、切断刃４０が弁体３７の内部に埋設され、かつ、切断刃４０の刃先が糸Ｑのみが進入可能な寸法のスリット５６内において露出することから、前記形態から生じる効果に加え、球戻り防止弁３１の交換等のメンテナンス作業時に指先が切断刃４０に直接触れることがなくなるため、メンテナンス中における作業者が怪我を負うことを確実に防止できる。
また、傾斜部５２；５２に引っ掛かった糸Ｑは、傾斜部５２；５２に沿って幅方向中央に案内され、中央部に形成されたスリット５６に落とし込まれるため、不正な遊技者の操作によって働く張力が幅方向に分散することがなくなり、応力集中が生じ糸Ｑの素材の強度が高い場合であっても切断することが可能となる。
なお、本実施形態に係る弁体３７と切断刃４０とは前記実施形態と同様に一体成形しても良いし、図外の挿入孔を介して切断刃４０を弁体３７に挿入し、切断刃４０が弁体３７内に埋設された状態としてもよい。
【００２８】
以下、図１を参照して上記実施形態に係る球戻り防止弁３１が採用されるパチンコ機１０についての概要を説明する。
遊技盤１１の遊技領域１１Ａ内に進入した球は、流下の過程において遊技領域１１Ａ内に植設された多数の遊技釘や風車に衝突しながら誘導され、遊技盤１１の略中央に設けられた始動入賞部品７０、遊技盤１１の下部側方に設けられた複数の一般入賞部品７１に取り込まれ得る。また、始動入賞部品７０又は一般入賞部品７１に取り込まれなかった球は、遊技盤１１の中央最下部に開設されたアウト口７３に取り込まれて回収される。
【００２９】
球が一般入賞部品７１に取り込まれた場合、遊技盤１１の裏側に配設された図外の主制御装置により前述の上皿構造体１６に賞球としての球を払出す賞球払出処理が実行される。この場合の賞球数は例えば３個に設定される。
なお、主制御装置は、各入賞部品に対応する検出センサーからの検出信号に基づいて個別に制御処理を実行するＣＰＵ，ＲＯＭ，ＲＡＭ等のハードウェアが搭載されたいわゆるコンピュータであって、各検出センサー、制御装置、或いは駆動源とは図外のインターフェイスや駆動回路を介して接続され、ＲＯＭに格納されたプログラムに従って動作する。
【００３０】
球が中央始動入賞部品７０に取り込まれた場合、主制御装置により前記同様の賞球払出処理と、所定の確率による大当り抽選処理が実行される。大当り抽選処理の結果「大当り」となる確率は、例えば３６０分の１として予め設定される。
【００３１】
主制御装置は、大当り抽選処理の結果に基づいて図柄表示装置１９に表示される演出用図柄の変動を開始させるとともに、大当り抽選処理の結果を報知する態様で演出用図柄を停止させる図柄変動処理を実行する。
【００３２】
主制御装置による大当り抽選の結果が所謂「大当り」であり、かつ、停止後の演出用図柄の態様が「大当り」であることを示す態様で停止した場合、大入賞部品９０を開閉させる大当り遊技開始処理を実行する
球が大入賞部品９０に取り込まれた場合、主制御装置は賞球としての球を例えば１５個払出す。大当り遊技は、球の大入賞部品９０への１０回の入賞の検出、又は、開閉体７５の開放から所定時間の経過のうち、いずれか早い条件が成立するまでを１ラウンドとして、当該ラウンドが例えば１５回繰り返され、遊技者は短時間に多くの球の払出を受けることができる。
【００３３】
以上、各実施形態を通じて本発明を説明したが、本発明の技術的範囲は上記実施形態に何ら限定されることはなく、多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００３４】
１０  パチンコ機、１１  遊技盤、１１Ａ  遊技領域、１７  内ガイドレール、
１８  外ガイドレール、２０  球発射通路、３１  球戻り防止弁、３７  弁体、
３７Ｂ  弁体の先端部、３８  弁保持体、４０  切断刃、４２，５２  傾斜部、
５６  スリット、Ｑ  糸。
【図１】
2012120697.tif 000003
【図２】
2012120697.tif 000004
【図３】
2012120697.tif 000005
【図４】
2012120697.tif 000006
【図５】
2012120697.tif 000007